(57)【要約】【課題】手摺り部の上方に水平方向に延長した糸部材を上下に所定ピッチで配列することにより、圧迫感の低減、手摺り部の有効利用を可能にしながら鳥類の侵入を防止することができるベランダ類への鳥類侵入防止装置を得る。【解決手段】複数個のポール（１０ａ，１０ｂ）をベランダ類の手摺り部（１）に所定の間隔をおいて着脱可能に起立支持し、細長い筒主体（１８，１９）の側部に多数のフック（１７ｂ，１９ｂ）を長手方向に所定ピッチで設けてなる係止筒体（１５）を設けるとともに、該係止筒体（１５）を前記各ポール（１０ａ，１０ｂ）に着脱可能に嵌合支持し、各係止筒体（１５）の相対するフック（１７ｂ，１９ｂ）間に糸部材（２０）を係脱可能に係止する。【選択図】      図１
2005073658.tif 000002
【特許請求の範囲】
【請求項１】
複数個のポール（１０ａ，１０ｂ）をベランダ類の手摺り部（１）に所定の間隔をおいて着脱可能に起立支持し、細長い筒主体（１６，１８）の側部に多数のフック（１７ｂ，１９ｂ）を長手方向に所定ピッチで設けてなる係止筒体（１５−１，１５−２）を設けるとともに、該係止筒体（１５−１，１５−２）を前記各ポール（１０ａ，１０ｂ）に着脱可能に嵌合支持し、各係止筒体（１５−１，１５−２）の相対するフック（１７ｂ，１９ｂ）間に糸部材（２０）を係脱可能に係止したことを特徴とするベランダ類への鳥類侵入防止装置。
【請求項２】
係止筒体（１５）は、板材の一部を除去して串歯状に形成した一対の細長い係止板（１７）を設け、各係止板（１７）を筒主体（１６）から左右両側方に突出させるとともに各係止板（１７）の各串歯片（１７ａ）の先端部に上部が開口した鉤形のフック孔（１７ｂ）を形成してなるストレート係止筒体（１５−１）と、前記一対の係止板（１９）を筒主体（１８）から直角方向に突出させるとともに各係止板（１９）の各串歯片（１９ａ）の先端部に上部が開口した鉤形のフック孔（１９ｂ）を形成してなるコーナー係止筒体（１５−２）とを有してなることを特徴とする請求項１記載のベランダ類への鳥類侵入防止装置。
【発明の詳細な説明】
【技術分野】
【０００１】
本発明は、ベランダ、バルコニー、テラス等に鳩、雀等の鳥類が侵入するのを防止するベランダ類への鳥類侵入防止装置に関するものである。
【背景技術】
【０００２】
従来の技術として、ベランダの手摺り部の内側に複数個のポールを所定の間隔をおいて着脱可能に起立支持し、各ポール間に鳥類の侵入を防止するネットを張るようにしたものがあった。
【特許文献１】特開２００３−２３９５１公報
【発明の開示】
【発明が解決しようとする課題】
【０００３】
上記従来のものは、ベランダの手摺り部の内側にネットを張るようにしていたので、手摺り部に布団、カーペット等の大物を掛けて干すことができなくなり、ベランダの活用が制限されることになる。また、ベランダの手摺り部上面が開放しているため、この上面に鳥類がとまって汚されることになる。さらに、ネットは網目が細かくなるとともに張力を有するため、ベランダからの緊急非難が困難になったり、圧迫感を生起したりすることになる。本発明は、上記不具合いを解消した新規なベランダ類への鳥類侵入防止装置を得ることを目的とする。
【課題を解決するための手段】
【０００４】
本発明は、上記目的を達成するために以下の如く構成したものである。即ち、請求項１に係る発明は、複数個のポールをベランダ類の手摺り部に所定の間隔をおいて着脱可能に起立支持し、細長い筒主体の側部に多数のフックを長手方向に所定ピッチで設けてなる係止筒体を設けるとともに、該係止筒体を前記各ポールに着脱可能に嵌合支持し、各係止筒体の相対するフック間に糸部材を係脱可能に係止する構成にしたものである。
請求項２に係る発明は、前記係止筒体は、板材の一部を除去して串歯状に形成した一対の係止板を設け、各係止板を筒主体から左右両側方に突出させるとともに各係止板の各串歯片の先端部に上部が開口した鉤形のフック孔を形成してなるストレート係止筒体と、前記一対の係止板を筒主体から直角方向に突出させるとともに各係止板の各串歯片の先端部に上部が開口した鉤形のフック孔を形成してなるコーナー係止筒体とを有する構成にしたものである。
【発明の効果】
【０００５】
請求項１に係る発明は、多数のフックが上下に所定ピッチで設けられた係止筒体をベランダ類の手摺り部に所定の間隔をおいて起立支持し、各係止筒体の相対する各フック間に糸部材を係止するようにしたので、手摺り部の上方に水平方向に延長した糸部材が上下に所定ピッチで配列されることになる。これにより、鳥類の侵入を防止するとともに、従来のネットに比し視野が広くなって圧迫感が低減することになる。しかも、糸部材を各フックに係脱可能に係止するようにしたので、緊急非難時には糸部材を各フックから離脱することにより手摺り部の上方に大きな空間を迅速に形成することができる。また、下段側のフックに係止されている糸部材を離脱するか、または該離脱した糸部材を上段側のフックに重ね掛けすることにより、上記手摺り部上方に所定の間隙を形成し、この部から手摺り部に布団類を掛けて干すことができる。さらに、糸部材が汚れたり損傷したりした際には、これを新規なものと容易に交換することができる。
【０００６】
請求項２に係る発明は、板材の一部を除去して串歯状に形成した係止板を筒主体から突出させ、該係止板の各串歯片の先端部に上部が開口した鉤形のフック孔を形成するようにしたので、フック孔への糸部材の係脱が容易になるとともに、糸部材を係止する多数のフック孔を整然とかつ容易に形成することができる。また、串歯状に形成した一対の係止板を筒主体から左右両側方に突出させたストレート係止筒体と、一対の係止板を筒主体から直角方向に突出させたコーナー係止筒体とを設けるようにしたので、手摺り部の直線部、及び屈曲部に容易に対応させることができる。
【発明を実施するための最良の形態】
【０００７】
以下、本発明の実施の形態を図面に基いて説明する。図面において、図１は本発明の第１実施例を示す部分正面図、図２は図１のＡ部拡大図、図３は図２の平面図、図４は図１のＢ部拡大斜視図、図５は本発明による係止筒体及びポールの分解図、図６は本発明の第２実施例を示す部分正面図である。
【０００８】
図１において、１はベランダの外縁部に沿って起立形成した手摺り部であり、正面側に位置する正面手摺り部１ａ、及び該正面手摺り部１ａの端部から建屋方向に屈曲する側部手摺り部１ｂを有する。２は上記手摺り部１に取り付けた鳥類侵入防止装置であり、取付具３、ポール１０、係止筒体１５、及び糸部材２０を主要部品として構成される。
【０００９】
上記取付具３は上記正面手摺り部１ａに取り付ける正面取付具３−１、及び正面手摺り部１ａと側面手摺り部１ｂとのコーナー部に取り付けるコーナー取付具３−２からなり、正面取付具３−１は、図１〜図３に示すように、鋼板を倒立Ｕ字状に屈曲させたクランプ板４の後部辺に止めねじ５を螺合させてなり、クランプ板４を正面手摺り部１ａの上部に上方から嵌合させた後、上記止めねじ５をねじ込んで正面手摺り部１ａ上部の任意の位置に固定できるようにする。
【００１０】
また、上記コーナー取付具３−２は、図１、図４に示すように、正方形状の天板６の前部側二辺に当て片７ａ，７ｂを垂下固定し、天板６後部側の隅部を除去してこの部に腕片８を垂下固定し、該腕片８に止めねじ９を螺合させてなり、上記当て片７ａ，７ｂ及び腕片８を正面手摺り部１ａと側面手摺り部１ｂとの角部に嵌合させ、上記止めねじ９をねじ込んで手摺り部１の角部上部に固定する。なお、上記天板６、各当て片７ａ，７ｂ及び腕片８は鋼板材により形成されている。
【００１１】
上記正面取付具３−１の天板４ａ、及びコーナー取付具３−２の天板６にそれぞれポール１０ａ，１０ｂを溶接あるいはネジ止めにより起立固定する。このポール１０ａ，１０ｂは金属製あるいはプラスチック製のパイプ材を所定の長さ、本例では約６０ｃｍの長さに切断して形成し、各ポール１０ａ，１０ｂの上面はキャップ１２（図５）により閉塞する。上記各ポール１０ａ，１０ｂの上部には、図６に示すように延長用のポール１０ｃ，１０ｄが連結できるようになっている。
【００１２】
上記ポール１０ａ，１０ｂにそれぞれ係止筒体１５を嵌合させて起立支持する。該係止筒体１５はプラスチックにより形成され、正面側のポール１０ａに支持されるストレート係止筒体１５−１、コーナー側のポール１０ｂに支持されるコーナー係止筒体１５−２を有する。上記ストレート係止筒体１５−１は、図５の右部、及び図２、図３に示すようになっている。即ち、上記ポール１０ａに遊嵌するとともに、該ポール１０ａと略同じ長さの筒主体１６を形成し、該筒主体１６の左右両側に串歯状に形成した一対の係止板１７，１７を左右方向に突出させて一体的に連結する。各係止板１７，１７は、多数の串歯片１７ａを上下に５ｃｍｍ〜１０ｃｍのピッチで形成され、各串歯片１７ａの先端部に上部が開口し下部が先端方向に延びる鉤形のフック孔１７ｂが形成されている。１６ａは筒主体１６の円周方向一部を除去したスリットである。
【００１３】
また、上記コーナー係止筒体１５−２は、図５の左部、及び図４に示すようになっている。即ち、上記ポール１０ｂに遊嵌するとともに、該ポール１０ｂと略同じ長さの筒主体１８を形成し、該筒主体１８の右側部と後側部とに串歯状に形成した一対の係止板１９，１９を右方と後方（建屋側）とに突出させて一体的に連結する。各係止板１９，１９は、前述と同様に、多数の串歯片１９ａを上下に５ｃｍｍ〜１０ｃｍのピッチで形成され、各串歯片１９ａの先端部に上部が開口し下部が先端方向に延びる鉤形のフック孔１９ｂが形成されている。１８ａは筒主体１８の円周方向一部を除去したスリットである。
【００１４】
上記各串歯片１７ａ（１９ａ）の上下ピッチ、従って各フック孔１７ｂ（１９ｂ）の上下ピッチは、本例では、鳩に対応するものとして下から３段目までのピッチを約５ｃｍ、４段目から最上段までのピッチを約１０ｃｍとし、また、各係止板１７，１９の高さ（鳩の侵入防止バリヤー）を約６０ｃｍにすると効果的であった。なお、上記各串歯片１７ａ（１９ａ）の上下ピッチ及び各係止板１７，１９（ポール１０ａ，１０ｂ）の高さは鳥類の種類、住宅地の環境等によって適宜設定する。
【００１５】
そして、上記ストレート係止筒体１５−１、コーナー係止筒体１５−２の相対するフック１７ｂ，１９ｂ間に糸部材２０を係止する。この糸部材２０は、本例では所定の張力を有するとともに伸縮性に富む釣り糸からなる。この糸部材２０の係止要領の一例を図１により説明すると、まず、左部の最下段のフック１９ｂに糸部材２０の始端２０ａを係止（固定）し、この状態で順次、右部の最下段のフック１７ｂ、右部の二段目のフック１７ｂ、左部の二段目のフック１９ｂ、左部の三段目のフック１９ｂ、右部の三段目のフック１７ｂ・・・に掛け、左部の最上段のフック１９ｂの糸部材２０の終端２０ｂを係止（固定）する。なお、上記糸部材２０は張力に富んだ繊維製の糸、あるいは細い針金としてもよい。
【００１６】
図６は第２実施例を示す。このものは、前述したポール１０ａ，１０ｂの上端部に延長ポール１０ｃ，１０ｄを連結し、該延長ポール１０ｃ，１０ｄに延長用のストレート係止筒体１５−１ａ，１５−２ａを嵌合させ、ストレート係止筒体１５−１及び延長用のストレート係止筒体１５−１ａと、コーナー係止筒体１５−２及び延長用のストレート係止筒体１５−２ａとの相対するフック１７ｂ，１９ｂ間に糸部材２０を前述と同様の要領で係止し、糸部材２０による鳥類の侵入防止バリヤーを高くしたものである。
【００１７】
上記第１、第２実施例によれば、手摺り部１の上方に水平方向に延長した糸部材２０が上下に所定ピッチで配列されるため、鳥類の侵入を防止するとともに、従来のネットに比し視野が広くなって圧迫感が低減することになる。また、糸部材２０を各フック孔１７ｂ，１９ｂから離脱することにより、手摺り部１の上方に大きな空間を迅速に形成することができ、ベランダからの緊急非難が容易となる。また、下段側のフック孔１７ｂ，１９ｂに係止されている糸部材２０を離脱、または該離脱した糸部材２０を上段側のフック孔１７ｂ，１９ｂに重ね掛けすることにより、上記手摺り部１上方に所定の間隙を形成することができ、手摺り部１に布団類を掛けて干す等、手摺り部１を有効に活用することができる。さらに、糸部材２０が汚れたり損傷したりした際には、これを新規なものと容易に交換することができる。
【図面の簡単な説明】
【００１８】
【図１】本発明の第１実施例を示す部分正面図である。
【図２】図１のＡ部拡大図である。
【図３】図２の平面図である。
【図４】図１のＢ部拡大斜視図である。
【図５】本発明による係止筒体及びポールの分解図である。
【図６】本発明の第２実施例を示す部分正面図である。
【符号の説明】
【００１９】
１    手摺り部
１ａ  正面手摺り部
１ｂ  側面手摺り部
２    鳥類侵入防止装置
３    取付具
３−１    正面取付具
３−２    側面取付具
４    クランプ板
４ａ  天板
５    止めねじ
６    天板
７ａ，７ｂ  当て板
８    腕片
９    止めねじ
１０（１０ａ，１０ｂ）  ポール
１０ｃ，１０ｄ  延長ポール
１２    キャップ
１５    係止筒体
１５−１    ストレート係止筒体
１５−１ａ  延長用のストレート係止筒体
１５−２    コーナー係止筒体
１５−２ｂ  延長用のコーナー係止筒体
１６    筒主体
１６ａ  スリット
１７    係止板
１７ａ  串歯片
１７ｂ  フック孔（フック）
１８    筒主体
１８ａ  スリット
１９    係止板
１９ａ  串歯片
１９ｂ  フック孔（フック）
２０    糸部材
【図１】
2005073658.tif 000003
【図２】
2005073658.tif 000004
【図３】
2005073658.tif 000005
【図４】
2005073658.tif 000006
【図５】
2005073658.tif 000007
【図６】
2005073658.tif 000008